(57)【要約】      （修正有）【課題】台所リモコンと浴室リモコンの表示部を同時に点灯させる特定時間帯を設定可能としたふろ給湯装置を提供する。【解決手段】所定の点灯条件が満たされた時に台所リモコン３３の表示部３４及び浴室リモコン４０の表示部４１を同時に点灯させる特定時間帯について、各リモコン上で使用者が手動で設定するか、あるいは使用湯量が最大値の時刻の平均値の前後を自動で設定するので、浴室内の人が存在する可能性が高い時間帯のみ所定の点灯条件が満たされた時、台所リモコン３３の表示部３４と共に浴室リモコン４０の表示部４１を点灯させるため、浴室リモコン４０の表示部４１を無駄に点灯させることがなく省エネ効果を高めることができる。【選択図】図３
2016133272.tif 000002
【特許請求の範囲】
【請求項１】
浴室に設置され少なくとも表示部を備えた浴室リモコンと、該浴室リモコンとは別に設置され少なくとも表示部を備えた別リモコンと、前記表示部の点灯／消灯状態を切り替える表示切り替え手段と、所定の点灯条件を満たしたと判断したら前記浴室リモコン及び前記別リモコンのいずれも前記表示切り替え手段で前記表示部を点灯させる制御部とを備え、
前記所定の点灯条件を満たした時に前記浴室リモコン及び前記別リモコンのいずれも前記表示切り替え手段で前記表示部を点灯させる特定時間帯を前記制御部が設定し、前記制御部は、前記特定時間帯外で前記所定の点灯条件を満たした時は前記別リモコンの前記表示部のみを点灯させることを特徴とするふろ給湯装置。
【請求項２】
一日における各時刻の温水使用量を記憶する記憶手段と、該記憶手段で記憶した中で温水使用量が多い時刻を所定期間だけ学習する学習手段とを備え、前記制御部は、前記学習手段で学習した温水使用量が多い時刻に基づき前記特定時間帯を設定することを特徴とする請求項１記載のふろ給湯装置。
【請求項３】
前記浴室リモコン又は前記別リモコンで前記特定時間帯に前記浴室リモコン及び前記別リモコンのいずれも前記表示切り替え手段で前記表示部を点灯させるか否かを選択可能としたことを特徴とする請求項１又は２記載のふろ給湯装置。
【発明の詳細な説明】
【技術分野】
【０００１】
この発明は、浴室とその他の場所のそれぞれにリモコンを備えて給湯温度や浴槽の湯張り量を設定するふろ給湯装置に関するものである。
【背景技術】
【０００２】
従来、この種のものにおいて、通常モード時は別リモコンの表示部及び浴室リモコンの表示部を点灯状態にし、省エネモード時は浴室リモコン及び別リモコンの表示部を消灯状態にして、別リモコンの操作部上で各種設定温度の変更等の動作が実施されたと判断したら、別リモコンの表示部を点灯状態にすると共に浴室リモコンの表示部も所定時間だけ点灯状態にすることで、一方のリモコンでの設定内容の変更が他方のリモコンでも容易に確認可能としたものがあった。（例えば、特許文献１の段落００４０）
【先行技術文献】
【特許文献】
【０００３】
【特許文献１】特許第３８１１６８４号公報
【発明の概要】
【発明が解決しようとする課題】
【０００４】
しかし、この従来のものでは、浴室内に人が存在しない状態であっても別リモコンの操作部上での設定変更のタイミングに合わせて浴室リモコンの表示部が点灯状態に切り替わっていたため、浴室リモコンの表示部の点灯が無駄となる時間が存在していることから改善の余地があった。
【課題を解決するための手段】
【０００５】
上記課題を解決するために、本発明の請求項１では、浴室に設置され少なくとも表示部を備えた浴室リモコンと、該浴室リモコンとは別に設置され少なくとも表示部を備えた別リモコンと、前記表示部の点灯／消灯状態を切り替える表示切り替え手段と、所定の点灯条件を満たしたと判断したら前記浴室リモコン及び前記別リモコンのいずれも前記表示切り替え手段で前記表示部を点灯させる制御部とを備え、
前記所定の点灯条件を満たした時に前記浴室リモコン及び前記別リモコンのいずれも前記表示切り替え手段で前記表示部を点灯させる特定時間帯を前記制御部が設定し、前記制御部は、前記特定時間帯外で前記所定の点灯条件を満たした時は前記別リモコンの前記表示部のみを点灯させることを特徴としている。
【０００６】
また、請求項２では、一日における各時刻の温水使用量を記憶する記憶手段と、該記憶手段で記憶した中で温水使用量が多い時刻を所定期間だけ学習する学習手段とを備え、前記制御部は、前記学習手段で学習した温水使用量が多い時刻に基づき前記特定時間帯を設定することを特徴としている。
【０００７】
また、請求項３では、前記浴室リモコン又は前記別リモコンで前記特定時間帯に前記浴室リモコン及び前記別リモコンのいずれも前記表示切り替え手段で前記表示部を点灯させるか否かを選択可能としたことを特徴としている。
【発明の効果】
【０００８】
この発明によれば、所定の点灯条件を満たした時に浴室リモコン及び別リモコンのいずれも表示切り替え手段で表示部を点灯させる特定時間帯を制御部が設定し、特定時間帯外で所定の点灯条件を満たした時は別リモコンの表示部のみを点灯させるので、特定時間帯を浴室に人が存在する時間に設定することで、特定時間帯外に所定の点灯条件が満たされても浴室リモコンの表示部が点灯状態に切り替わることがないため、省エネ効果を高めることができる。
【０００９】
また、一日における各時刻の温水使用量を記憶する記憶手段と、該記憶手段で記憶した中で温水使用量が多い時刻を所定期間だけ学習する学習手段とを備え、学習手段で学習した温水使用量が多い時刻に基づき特定時間帯を設定するので、温水使用量が少なく浴室での温水の使用が見込めない時間帯は、所定の点灯条件が満たされても別リモコンの表示部と共に浴室リモコンの表示部が点灯状態へ切り替わらないため、省エネ効果を高めることができる。
【００１０】
また、浴室リモコン又は別リモコンで特定時間帯に浴室リモコン及び別リモコンのいずれも表示切り替え手段で表示部を点灯させるか否かを選択可能としたので、所定の点灯条件が満たされた時に別リモコンの表示部と共に浴室リモコンの表示部を点灯状態へ切り替える特定時間帯の設定をするか否か使用者が選択できるため、使い勝手が向上する。
【図面の簡単な説明】
【００１１】
【図１】この発明の一実施形態を示す概略構成図
【図２】同実施形態の浴室リモコンと台所リモコンについて説明する図
【図３】同実施形態の制御ブロック図
【図４】同実施形態の手動による特定時間帯の設定方法を説明する図
【図５】同実施形態の使用湯量により特定時間帯を自動で設定する制御を説明するフローチャート
【図６】同実施形態の特定時間帯の有無による台所リモコン及び浴室リモコンの点灯制御を説明するフローチャート
【発明を実施するための形態】
【００１２】
次に、この発明の一実施形態を図に基づいて説明する。
１は最大で３７０Ｌの湯水が貯湯可能な貯湯タンク２を収納した貯湯タンクユニット、３は貯湯タンク２内の湯水を加熱可能な図示しないヒートポンプ式加熱手段を内蔵したヒートポンプユニットである。
【００１３】
４は貯湯タンク２下部の冷水をヒートポンプユニット３へ送水するための加熱往き管、５はヒートポンプユニット３で加熱された温水を貯湯タンク２上部へ送水するための加熱戻り管、６は加熱往き管４、ヒートポンプユニット３及び加熱戻り管５で形成された加熱回路であり、貯湯タンク２内の湯水の加熱指示があったら、ヒートポンプユニット３内にある図示しない加熱循環ポンプを駆動して加熱回路６内で湯水を循環させ、ヒートポンプユニット３で高温に加熱した湯水を貯湯タンク２から入水させる。
【００１４】
７は貯湯タンク２に市水を流入する給水管、８は貯湯タンク２上部にある高温水を出湯する出湯管、９は給水管７から分岐した給水バイパス管、１０は出湯管８と給水バイパス管９内を流動する湯水を所定の比率で混合して設定された給湯温度に調節する給湯混合弁、１１は出湯管８と給水バイパス管９内を流動する湯水を所定の比率で混合して設定されたふろ温度に調節するふろ混合弁である。
【００１５】
１２は給湯混合弁１０で所定の比率で混合された湯水が流動する給湯管、１３は洗面所等に設置され給湯混合弁１０で所定の給湯温度に調節された湯水を開栓することで出湯可能な給湯栓、１４は給湯管１２内を流動する湯水の流量を検知する給湯流量センサ、１５は給湯管１２内を流動する湯水の温度を検知する給湯温度センサである。
【００１６】
１６は貯湯タンク２内の高温水と熱交換して浴槽１７内に貯められた浴槽水を加熱するふろ熱交換器、１８は浴槽水をふろ熱交換器１６に送るふろ戻り管、１９はふろ熱交換器１６で加熱された浴槽水を浴槽１７内に戻すふろ往き管、２０はふろ往き管１９とふろ熱交換器１６とふろ戻り管１８とで形成されたふろ回路、２１はふろ回路２０内の浴槽水を流動させるふろ循環ポンプである。
【００１７】
２２は浴槽１７内にある浴槽水の水位を検知する水位センサ、２３はふろ熱交換器１６で加熱された浴槽水の温度を検知するふろ温度センサであり、ふろ往き管１９途中にそれぞれ設置されている。
【００１８】
２４はふろ混合弁１１で混合された湯水をふろ戻り管１８に搬送する湯張り管であり、配管途中には、ふろ混合弁１１で混合された湯水の温度を検知する湯張り温度センサ２５と、電動弁を開閉して浴槽１７への湯張り開始及び停止を行う湯張り電磁弁２６と、配管内を流動する湯水の流量から浴槽１７への湯張り量を検知する湯張り流量センサ２７と、浴槽１７の浴槽水が逆流するのを防止する逆止弁２８とが設置されている。
【００１９】
２８は貯湯タンク２の上下方向に複数配置された貯湯温度センサで、この実施形態では貯湯温度センサ２８ａ、２８ｂ、２８ｃ、２８ｄ、２８ｅの５つが設置されているものであり、この貯湯温度センサ２８が検知する温度情報によって貯湯タンク２内の残熱量と、貯湯タンク２内の上下方向の温度分布が確認できる。
【００２０】
なお、この実施形態において貯湯タンク２の最大貯湯量は３７０Ｌであり、複数の貯湯温度センサ２８は貯湯タンク２に対し、ａが３４０Ｌ、ｂが２６０Ｌ、ｃが１８０Ｌ、ｄが１００Ｌ、ｅが３０Ｌの湯水が貯湯される箇所にそれぞれ設置されている。
【００２１】
２９は貯湯タンク２上部に連通し加熱した湯水の体積膨張による圧力上昇を防止する逃し弁、３０は市水からの圧力を一定に減圧する減圧弁、３１は給水管７内を流動する市水の温度を検知する給水温度センサ、３２は給水管７に設置され栓を備えた給水栓である。
【００２２】
３３は台所近傍等に設けられる別リモコンとしての台所リモコンで、操作部で設定された給湯設定温度、ふろ設定温度、タンク残湯量及び給湯機の作動状態等の各種の情報を表示する表示部３４が備えられている。
【００２３】
また、台所リモコン３３の操作部として、浴槽１７へ設定された量の湯張りをした後に予め設定した時間だけふろ設定温度に保温するふろ自動運転の機能が割り当てられたふろ自動スイッチ３５と、浴室内の浴室リモコン４０とインターホン通話する機能が割り当てられた通話スイッチ３６と、予め定められた各種の設定を変更したり予め定められた機能の運転を行わせるメニューを呼び出すためのメニュースイッチ３７と、該メニュースイッチ３７との組み合わせ等により給湯設定温度やふろ設定温度の設定操作や設定内容の対象を表示部３４上のカーソルを移動させて選択する変更設定スイッチ３８と、該変更設定スイッチ３８で設定された給湯設定温度やふろ設定温度を確定させる決定スイッチ３９とが備わっている。
【００２４】
４０は浴室内に設けられる浴室リモコンで、操作部で設定された給湯設定温度、ふろ設定温度、タンク残湯量、ふろ設定湯量及び給湯機の作動状態等の各種の情報を表示する表示部４１が備えられている。
【００２５】
また、浴室リモコン４０の操作部として、浴槽１７へ設定量の湯張りをした後に予め設定した時間だけふろ設定温度に保温するふろ自動運転の機能が割り当てられたふろ自動スイッチ４２と、浴槽１７内の浴槽水をふろ設定温度に沸き上げる機能が割り当てられた追いだきスイッチ４３と、浴室外の台所リモコン３３とインターホン通話する機能が割り当てられた通話スイッチ４４と、給湯設定温度を変更する優先権を設定する機能が割り当てられた浴室優先スイッチ４５と、予め定められた各種の設定を変更したり、予め定められた機能の運転を行わせるメニューを呼び出すためのメニュースイッチ４６と、該メニュースイッチ４６との組み合わせにより給湯設定温度やふろ設定温度を設定操作や設定内容の対象を表示部４１上のカーソルを移動させて選択する変更設定スイッチ４７と、該変更設定スイッチ４７で設定された給湯設定温度やふろ設定温度を確定させる決定スイッチ４８とが備わっている。
【００２６】
４９は貯湯タンクユニット１内に設置された各センサの入力を受け、各アクチュエータの駆動を制御するマイコンを内蔵し、台所リモコン３３、浴室リモコン４０およびヒートポンプユニット３とを通信可能に接続した貯湯側制御部である。この貯湯側制御部４９には、所定の点灯条件が満たされたと判断したら台所リモコン３３の表示部３４及び浴室リモコン４０の表示部４１を消灯状態から点灯状態へ切り替えて、前記所定の点灯条件が満たされた状態が終了してから所定時間（例えば１分間）が経過したら前記台所リモコン３３の表示部３４及び前記浴室リモコン４０の表示部４１を点灯状態から消灯状態へ切り替える表示切り替え手段５０と、一日における温水の使用量を時刻と共に記憶する記憶手段５１と、該記憶手段５１で記憶した一日の温水使用量の中で最大値の時刻を所定期間である７日分だけ学習する学習手段５２と、該学習手段５２で学習した時刻の平均値を算出する算出手段５３とが備えられている。
【００２７】
なお、前記所定の点灯条件とは、台所リモコン３３又は浴室リモコン４０の操作部で何らかの操作が実施されたか、給湯栓１３での給湯開始、浴槽１７への湯張り開始等により貯湯タンク２内の高温湯が出湯されたことを各流量センサ及び各温度センサの値に基づき検知した場合である。
【００２８】
５４はヒートポンプユニット３内に設置され前記貯湯側制御部４９と通信可能に接続された加熱側制御部である。この加熱側制御部５４は、予めヒートポンプ式加熱手段の作動を制御するためのプログラムが記憶されているものである。
【００２９】
５５は貯湯タンク２の底部に接続され配管途中に排水栓５６を設置した排水管であり、地震等の災害が発生して断水状態になった場合は、給水栓３２を閉栓して逃し弁２９を開放し、排水栓５６を開栓することで貯湯タンク２内に残存する湯水が取り出せる。
【００３０】
＜沸き上げ運転＞
電力料金単価の安価な所定時間帯（深夜時間帯）の開始時刻になると、貯湯側制御部４９はそれまでの給湯負荷量に見合う湯量の沸き上げを開始するため、加熱側制御部５４に対し、給湯負荷量に見合う沸き上げ目標温度と沸き上げ開始の指示を送信し、加熱側制御部５４は貯湯タンク２下部から取り出した湯水を沸き上げ目標温度まで加熱して貯湯タンク２上部へ戻し、貯湯タンク２上部から沸き上げ設定温度の湯を積層状に貯湯し、貯湯側制御部４９は最下部の貯湯温度センサ２８が所定の沸き上げ終了判定温度を検知するか、所定時間帯の終了時刻に到達すると、加熱側制御部５４に沸き上げの停止を指示し、沸き上げ運転を終了する。
【００３１】
＜給湯＞
給湯栓１３が開かれると、貯湯タンク２の底部に給水管７から市水が流入すると共に貯湯タンク２の上部から出湯管８を介して高温の湯が出湯し、給湯混合弁１０で給水バイパス管９からの水と混合されて給湯管１２を通過する。そして、給湯流量センサ１４が最低作動水量以上を検知すると、貯湯側制御部４９は、給湯温度センサ１５が検知する温度が給湯設定温度と一致するように給湯混合弁１０の弁開度をフィードバック制御して、給湯設定温度の給湯を行う。そして、給湯栓１３が閉じられる等によって、給湯流量センサ１４が最低作動水量未満を検知すると、貯湯側制御部４９は、給湯混合弁１０の弁開度のフィードバック制御を停止して給湯停止する。
【００３２】
＜沸き増し運転＞
次に、深夜時間帯以外の時間帯において、多量に給湯されるなどして貯湯側制御部４９が各貯湯温度センサ２８の検知温度に基づき貯湯タンク２内の貯湯量が少なくなったと判断したら、貯湯側制御部４９は、加熱側制御部５４に対して沸き上げ目標温度と沸き増し開始の指示を送信し、加熱側制御部５４は、貯湯タンク２下部から取り出した湯水を沸き上げ目標温度まで加熱して貯湯タンク２上部へ戻し、それまで貯湯されていた湯の上部に沸き上げ目標温度の湯を積層状に貯湯し、貯湯側制御部４９は、沸き増しの開始から一定時間が経過すると、加熱側制御部５４に沸き増しの停止を指示し、加熱側制御部５４はヒートポンプユニット３内に設置された各種機器を駆動停止して沸き増し運転を終了する。
【００３３】
＜ふろ自動運転＞
次に、ふろ自動運転について説明する。台所リモコン３３または浴室リモコン３９のふろ自動スイッチ３５、４１の何れかが操作されると、貯湯側制御部４９は、湯張り電磁弁２６を開弁して湯張り温度センサ２５で検知される温度がふろ設定温度と一致するようにふろ混合弁１１の弁開度をフィードバック制御し、ふろ設定温度の湯張りを開始する。
【００３４】
そして、貯湯側制御部４９は、湯張り流量センサ２７で検知するふろ流量の積算値がふろ設定湯量になると、湯張り電磁弁２６を閉弁して湯張りを停止しふろの保温運転を実施する。
【００３５】
ふろの保温運転では、一定時間毎にふろ循環ポンプ２１を駆動してふろ温度センサ２３で浴槽水の温度を確認し、ふろ設定温度より低くなっていることを検知すると浴槽水をふろ熱交換器１６で加熱する。そして、ふろ温度センサ２３で浴槽水の温度がふろ設定温度まで上昇したことを確認したら、ふろ循環ポンプ２１の駆動を停止する。
【００３６】
また、貯湯側制御部４９は、湯張り停止時の浴槽１７内の水位をふろ水位センサ２２の検知値に基づいて記憶し、浴槽１７内の水位が記憶した水位から低下すると元の水位になるまで湯張りするふろ補水運転を行う。
【００３７】
そして、湯張りの開始から予め設定されたふろ自動保温時間が経過すると、ふろの保温運転およびふろ補水運転も停止する。
【００３８】
＜追いだき＞
次に、ふろ追いだき運転について説明する。浴室リモコン４０の追いだきスイッチ４２または台所リモコン３３のメニュー内から追いだき指示操作がされると、貯湯側制御部４９は、ふろ循環ポンプ２１を駆動してふろ温度センサ２３で浴槽水の温度を確認し、ふろ設定温度＋αより低くなっていることを検知すると、浴槽水をふろ熱交換器１６で加熱する。そして、ふろ温度センサ２３で浴槽水の温度がふろ設定温度＋αより上昇したことを確認すると、ふろ循環ポンプ２１の駆動を停止してふろ追いだき運転を終了する。
【００３９】
＜手動による特定時間帯の設定＞
次に、所定の点灯条件が満たされたことで台所リモコン３３の表示部３４及び浴室リモコン４０の表示部４１を点灯させる特定時間帯の設定方法について図４に基づいて説明する。
まず、台所リモコン３３の表示部３４が初期画面の時にメニュースイッチ３７を押圧すると、（ａ）で示す画面に遷移して各種設定が可能な画面となる。そこで、変更設定スイッチ３８を操作して特定時間帯にカーソルを合わせ決定スイッチ３９を押圧すると、（ｂ）で示す画面に遷移して特定時間帯の設定有無が設定可能な画面となる。そこで、変更設定スイッチ３８を操作して特定時間帯の設定ありにカーソルを合わせて決定スイッチ３９を押圧すると、（ｃ）で示す画面に遷移して特定時間帯の設定を自動か手動かを選択可能な画面となる。そこで、変更設定スイッチ３８を操作して手動にカーソルを合わせて決定スイッチ３９を押圧すると、（ｄ）で示す画面に遷移して特定時間帯の開始及び終了時刻を変更可能な画面となる。そこで、特定時間帯の開始時刻を変更設定スイッチ３８を操作することで変化させ、特定時間帯の開始時刻を２０時に設定したら、変更設定スイッチ３８で右方向へカーソルを移動させ、（ｅ）で示す画面の状態で変更設定スイッチ３８を操作し特定時間帯の終了時刻を設定する。そして、特定時間帯の終了時刻を２２時に設定したら変更設定スイッチ３８で下方向へカーソルを移動させ、（ｆ）で示す画面の状態で決定スイッチ３９を押圧すると初期の画面に遷移し、手動での特定時間帯の設定が完了する。
【００４０】
＜使用湯量による特定時間帯の設定＞
次に、一日の使用湯量に基づいて特定時間帯を自動で設定する制御について、図５のフローチャートに基づいて説明する。
まず、台所リモコン３３により特定時間帯の設定ありが選択され、自動で特定時間帯を設定するが選択されている状態において、貯湯側制御部４９は、給湯栓１３の開栓や浴槽１７への湯張り等により貯湯タンク２内の高温湯が出湯され温水が使用されたか判断し（ステップＳ１０１）、温水が使用されたと判断したら、給湯流量センサ１４及び湯張り流量センサ２７で湯水の流量を検知し、更に給湯温度センサ１５及び湯張り温度センサ２５で温水温度を検知して、温水の流量と温度とを確認し（ステップＳ１０２）、温水を使用していないと判断したら、再度ステップＳ１０１で温水の使用有無を判断する。
【００４１】
ステップＳ１０２で温水の流量と温度とを確認したら、貯湯側制御部４９は、給湯流量センサ１４及び湯張り流量センサ２７で湯水の流動が検知されず温水の使用が終了したか判断し（ステップＳ１０３）、温水の使用が終了したと判断したら、給湯温度センサ１５及び湯張り温度センサ２５で検知された温水の温度と、給湯流量センサ１４及び湯張り流量センサ２７で検知された温水の流量から算出した使用湯量とを温水の使用開始時刻と共に記憶手段５１で記憶して（ステップＳ１０４）、温水の使用が終了していないと判断したら、ステップＳ１０２で温水の流量と温度の確認を継続する。
【００４２】
ステップＳ１０４で温水の温度と使用湯量とを算出し温水の使用開始時刻と共に記憶手段５１で記憶したら、貯湯側制御部４９は、日付が変わったか判断し（ステップＳ１０５）、日付が変わったと判断したら、記憶手段５１で記憶した各時刻における温水の温度と使用湯量に基づき所定温度（例えば４０℃）に換算した場合、使用湯量が最大の時刻を求めて学習手段５２で学習する（ステップＳ１０６）。また、ステップＳ１０５で日付が変わっていないと判断したら、再度ステップＳ１０１で温水の使用有無を判断する。
【００４３】
ステップＳ１０６で使用湯量が最大の時刻を学習手段５２で学習したら、貯湯側制御部４９は、学習手段５２で学習した使用湯量が最大の時刻について所定期間である７日分のデータが存在するか判断し（ステップＳ１０７）、７日分のデータが存在すると判断したら、学習した７日分の時刻の平均値を算出手段５３で算出し、算出された平均値の時刻より所定時間前の２時間前から所定時間後の２時間後までを特定時間帯として設定し（ステップＳ１０８）、７日分のデータが存在しない場合は、浴槽１７へ入浴する可能性が高いと推測される１９時から２３時までの時間帯を仮の特定時間帯として設定する（ステップＳ１０９）。そして、ステップＳ１０８又はステップＳ１０９で特定時間帯の設定が終了したら制御を終了する。
【００４４】
以上のように、一日における温水の使用量と共に温水を使用した時刻を記憶し、記憶した温水使用量の中で最大値の時刻を学習して、学習した時刻データが７日分集まったら時刻の平均値を算出して、算出された平均値の２時間前から２時間後までを特定時間帯に設定したので、浴室内に人が存在する可能性が高い時間帯のみ所定の点灯条件が満たされたら台所リモコン３３の表示部３４及び浴室リモコン４０の表示部４１を同時に点灯させるため、浴室リモコン４０の表示部４１を無駄に点灯させる時間を減少させて省エネ効果を高めることができる。
【００４５】
なお、前記ステップ１０８で学習した７日分の時刻の平均値を算出手段５３で算出しているが時刻のデータは更新可能であり、前記ステップＳ１０７で７日分以上の使用湯量が最大値の時刻のデータが存在する場合は、最新の７日分のデータのみを時刻の平均値を算出するデータとして用い７日を超える古いデータは消去することで、常時使用者の使い方に即した特定時間帯を設定することができる。
【００４６】
また、本実施形態では算出手段５３で算出した平均値の時刻より２時間前から２時間後までを特定時間帯として設定しているが、平均値の時刻の前後の時間幅を変化させてもよく、例えば、平均値の時刻より１時間前から１時間後までを特定時間帯にすることで、浴室リモコン４０の表示部４１での無駄な点灯時間を減少させることができる。
【００４７】
＜表示部の点灯制御＞
次に、台所リモコン３３の表示部３４及び浴室リモコン４０の表示部４１の点灯有無を判断する具体的な制御について、図６のフローチャートに基づいて説明する。
まず、貯湯側制御部４９は、所定の点灯条件が満たされたか判断し（ステップＳ２０１）、所定の点灯条件が満たされたと判断したら、台所リモコン３３により特定時間帯の設定ありが選択されているか判断し（ステップＳ２０２）、所定の点灯条件が満たされていないと判断したらステップＳ２０１の判断を繰り返す。
【００４８】
ステップＳ２０２で台所リモコン３３により特定時間帯の設定ありが選択されていると判断したら、貯湯側制御部４９は、現在時刻が特定時間帯に属するか判断し（ステップＳ２０３）、現在時刻が特定時間帯に属すると判断したか、ステップＳ２０２で特定時間帯の設定なしが選択されていると判断したら、表示切り替え手段５０で台所リモコン３３の表示部３４と浴室リモコン４０の表示部４１とを点灯状態に切り替える（ステップＳ２０４）。
【００４９】
ステップＳ２０３で現在時刻が特定時間帯に属さないと判断したら、貯湯側制御部４９は、表示切り替え手段５０で台所リモコン３３の表示部３４のみを点灯状態に切り替えて浴室リモコン４０の表示部４１は消灯状態を保つようにする（ステップＳ２０５）。
【００５０】
以上のように、所定の点灯条件が満たされた時、台所リモコン３３で特定時間帯の設定ありが選択されており、現在の時刻が特定時間帯に属するか否かで浴室リモコン４０の表示部４１を点灯状態に切り替えるかを判断するため、浴室に人が存在する可能性が高い時間帯を特定時間帯にしておくことで、特定時間帯以外は所定の点灯条件が満たされても浴室リモコン４０の表示部４１が点灯状態に切り替わらず、省エネ性を向上させることができる。
【００５１】
また、現在時刻が特定時間帯に属している時に浴室リモコン４０の表示部４１を点灯させる設定が選択可能なので、所定の点灯条件が満たされた時刻が特定時間帯に属さない場合、浴室リモコン４０の表示部４１を点灯させない設定が不要であれば、特定時間帯の設定なしを選択することで、常時所定の点灯条件が満たされた時は台所リモコン３３の表示部３４と共に浴室リモコン４０の表示部４１が点灯するため、浴室リモコン４０の表示部４１の点灯有無をより使用者の使い方に合わせて設定することができる。
【００５２】
なお、本実施形態では台所リモコン３３により特定時間帯の設定有無や開始時刻、終了時刻等を設定可能としているが、浴室リモコン４０で特定時間帯の設定を可能としてもよく、台所リモコン３３又は浴室リモコン４０で設定された特定時間帯に基づいて各表示部の点灯有無を貯湯側制御部４９が判断する。
【００５３】
また、手動で特定時間帯を設定した場合であっても、所定の点灯条件を満たした時、各リモコンの表示部に「使用湯量に基づく点灯条件の変更が可能です」と表示し、使用湯量に基づいた特定時間帯の自動設定を促す内容を報知してもよい。
【００５４】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５５】
３３    台所リモコン（別リモコン）
３４    表示部
４０    浴室リモコン
４１    表示部
４９    制御部
５０    表示切り替え手段
５１    記憶手段
５２    学習手段
【図１】
2016133272.tif 000003
【図２】
2016133272.tif 000004
【図３】
2016133272.tif 000005
【図４】
2016133272.tif 000006
【図５】
2016133272.tif 000007
【図６】
2016133272.tif 000008